(57)【特許請求の範囲】
【請求項１】
固定側ベースと、前記ベースに対して重ねられる閉位置と開位置とに切り換えられるカップの底受兼用の蓋体と、前記ベース又は前記蓋体にアームを介し支持されて、前記蓋体の回動に連動して前記蓋体の閉位置でベースとの間に収まる収納状態と開位置で使用状態に切り換えられるカップの周囲拘束用の保持穴を有したホルダとを備えたカップホルダにおいて、
前記アームは、前記ホルダの使用状態において、前記保持穴に挿入されるカップの周囲に当接可能となるよう形成された支持部を有し、
前記支持部は、前記保持穴を区画している穴部分の一部とほぼ同じ円弧状で、かつ前記ホルダの使用状態において、前記保持穴より下方に位置して該保持穴に挿入される前記カップ周囲のうち、前記保持穴と前記蓋体との間に配置される周囲部分に当接可能となっていることを特徴とするカップホルダ。
【請求項２】
前記アームは、前記ホルダの対応部に回動可能に連結される枢支部と、前記ベースもしくは前記蓋体の対応部に回動可能に連結される枢支部とを前記支持部を挟んだ両側に有しているとともに、前記支持部を弾性変位可能な薄肉形状に形成していることを特徴とする請求項１に記載のカップホルダ。
【発明の詳細な説明】
【技術分野】
【０００１】
本発明は、自動車，電車，船舶，飛行機等に装備されて、カップ（これには缶，コップ，紙パックやボトルなどを含む）を保持するカップホルダに関する。
【背景技術】
【０００２】
図８はカップホルダの従来例を示し、同（ａ）は特許文献１に開示のもの、同（ｂ）は特許文献２に開示のものである。各図のカップホルダ１は、固定側ベース２又は１０と、前記ベースに対して重ねられる閉位置と開位置とに回動により切り換えられるカップ底受兼用の蓋体３又は２０と、前記ベース２又は蓋体２０の一方にアーム４，４又はアーム３０を介し支持され、前記蓋体の回動に連動して閉位置で前記ベースとの間に収まる収納状態と開位置で使用状態に切り換えられるカップ周囲拘束用の保持穴を有したホルダ５又は４０とを備えている。
【０００３】
また、同（ａ）において、アーム４は、基端がベース２に設けられた突片７に支軸９を介して枢支され、先端がホルダ５の対応部に回動可能に連結されている。また、アーム４は、蓋体３との間に介在された不図示のねじりコイルばね（第１の付勢部材）により立ち上げられる方向に付勢されている。ホルダ５は、アーム４との間に介在された不図示のねじりコイルばね（第２の付勢部材）により使用状態の方向に付勢されている。これに対し、同（ｂ）において、アーム３０は、基端が蓋体２０に設けられた支持片部２３に軸部３３を介して枢支され、先端がホルダ４０の対応部に回動可能に連結されている。また、このホルダ４０は、アーム３０との間に介在されたばね部材４により使用状態の方向に付勢されている。
【先行技術文献】
【特許文献】
【０００４】
【特許文献１】特許第２８６１８０１号公報
【特許文献２】特開２００２−３３７５９５号公報
【発明の概要】
【発明が解決しようとする課題】
【０００５】
上記各特許文献のカップホルダでは、ホルダが蓋体上に配置された使用状態において、カップをホルダ側保持穴から蓋体上に受け止めるとともに、カップ周囲をホルダの保持穴により倒れないよう拘束支持する構成である。ところで、カップを安定保持する上では次のような構成が好ましい。蓋体の保持面としては、滑り防止用リブを付設したりカップ底面と対応して浅い凹状部を形成しカップの動きを規制することである。ホルダの保持穴としては、カップ周囲と当接可能な保持面をできるだけ幅広く形成することである。前者の構成は容易に採用可能であるが、後者の構成は以下の理由により制約される。すなわち、ホルダとしては、例えば上下に長い筒状や半筒状に設定して保持穴の保持面を幅広に形成すると、ベースに対する蓋体の閉位置で両者の間に収まらなくなったり、全体の厚さが蓋体をベースに対して重ねた閉位置で分厚くなるため、保持穴の保持面を幅広にするといってもコンパクト化から採用困難となる。
【０００６】
本発明は以上のような背景に鑑みなされたものである。その目的は、コンパクト化、組立性や簡易性を維持してカップをより安定して保持できるようにすることにある。
【課題を解決するための手段】
【０００７】
上記目的を達成するため本発明は、図示した形態の例で特定すると、 固定側ベース１と、前記ベースに対して重ねられる閉位置と開位置とに切り換えられるカップの底受兼用の蓋体２と、前記ベース又は前記蓋体にアーム３を介し支持されて、前記蓋体の回動に連動して前記蓋体の閉位置でベースとの間に収まる収納状態と開位置で使用状態に切り換えられるカップの周囲拘束用の保持穴４５を有したホルダ４とを備えたカップホルダ５において、前記アーム３は、両側部３０と該両側部同士の間に設けられた支持部３５とを有し、前記支持部３５は、前記保持穴４５を区画している穴部分の一部とほぼ同じ円弧状で、かつ前記ホルダの使用状態において、前記保持穴より下方に位置して該保持穴に挿入される前記カップ周囲のうち、前記保持穴４５と前記蓋体２との間に配置される周囲部分に当接可能となっていることを特徴としている。
【０００８】
以上の本発明は、請求項２のごとく具体化されることがより好ましい。すなわち、前記アーム３は、前記ホルダ４の対応部に回動可能に連結される枢支部３６と、前記ベースもしくは前記蓋体の対応部に回動可能に連結される枢支部３７とを前記支持部３５を挟んだ両側に有しているとともに、前記支持部３５を弾性変位可能な薄肉形状に形成している構成である。ここで、枢支部は、軸部又はその軸部と嵌合する軸孔の何れかである。
【発明の効果】
【０００９】
請求項１の発明では、アームがカップの周囲に当接可能に形成された支持部を有しているため、図３に示したごとくカップをホルダ側保持穴に挿入した状態において、カップ周囲が保持穴による拘束に加え、保持穴と離間した箇所でアーム側支持部にも拘束される。その結果、本発明のカップホルダは、例えば、同図のごとくカップが衝撃などによって通常態様から傾くようなときに傾き度合いを規制してカップをより安定保持でき、しかも部材数及び組立工数を増やすことなく保持特性を向上できる。
【００１０】
また、この発明では、アーム側支持部が保持穴を区画している穴部分の一部とほぼ同じ円弧状となっているため、特にカップが上下同一径のものだとカップ周囲を保持穴と同時にカップの異なる箇所の一部を拘束可能となり安定保持に寄与できる。
【００１１】
また、この発明では、例えば、アーム側支持部がホルダの使用状態において、保持穴より下方に位置して見え難くなるため、上記した安定保持を見栄えを損なうことなく実現できる。
【００１２】
請求項２の発明では、図７に例示されるごとくアームがホルダ側への枢支部と、ベースもしくは蓋体側への枢支部とを支持部を挟んだ両側に有している場合、支持部を薄肉形状にして弾性変位可能になっていると、相手側の枢支部（軸孔又は軸部）に対して対応する枢支部（軸部又は軸孔）を嵌合する際、支持部の弾性変位を伴って容易に嵌合操可能となって組立性を向上できる。
【図面の簡単な説明】
【００１３】
【図１】本発明形態のカップホルダを示し、（ａ）は蓋体の開位置での斜視図、（ｂ）は蓋体の閉位置での斜視図である。
【図２】図１のカップホルダの細部を示し、（ａ）は正面図、（ｂ）は上面図、（ｃ）は側面図である。
【図３】上記カップホルダを示す図２（ａ）のＡ−Ａ線拡大断面図である。
【図４】（ａ）は図２（ａ）のＢ部を一部破断して拡大した模式拡大図、（ｂ）は組立要領を説明するための模式説明図である。
【図５】（ａ）は図２（ａ）のＣ−Ｃ線に沿った模式拡大断面図、（ｂ）は係止解除操作を説明するための模式説明図である。
【図６】上記カップホルダの構成部材同士の関係を示す模式分解図である。
【図７】上記カップホルダを構成しているホルダとアームとの関係を示し、（ａ）は模式分解図、（ｂ）は連結状態を示す模式図である。
【図８】特許文献１と２のカップホルダを示す説明図である。
【発明を実施するための形態】
【００１４】
以下、本発明の好ましい実施の形態を図面を参照しながら説明する。この説明では、カップホルダ構造、構成部材の組立、係止手段、作動の順に詳述する。
【００１５】
（カップホルダ構造）形態のカップホルダ５は、被取付部８に対し縦方向に取り付けられる縦型タイプであり、被取付部８に取り付けられるベース１と、ベース１に対し枢支されてベース１に重ねられる閉位置及びベース１を露出する開位置とに切り換えられるカップの底受兼用の蓋体２と、蓋体２にアーム３を介し支持され、蓋体２の回動に連動して蓋体閉位置でベース１との間に収まる収納状態と蓋体開位置で略水平となる使用状態に切り換えられるカップの周囲拘束用のホルダ４と、ベース１に対して蓋体２を閉位置に保つ係止手段５とを備えている。ここで、被取付部８は、縦壁であればよく、通常は車室内を構成しているドアトリム、座席、コンソールボックス、インストルメントパネルなどである。なお、ベース１、蓋体２、アーム３、ホルダ４は何れもが樹脂成形体である。但し、材質的にはこれ以外であってもよい。細部は以下の通りである。
【００１６】
ベース１は、図２及び図６に示されるごとく略矩形状をなしている。上左右に設けられて内外面１０，１１を貫通している取付孔１ａと、内面１０の上片側に設けられて係止手段５を組み付ける切欠部１２と、内面１０の下左右にそれぞれ突設されている突片部１４，１６と、両側の突片部１６の上側に設けられたガイド溝１８と、外面１１に突設されて被取付部８に設けられた位置決め用孔部８ａに係合される位置決め用突起１９などを有している。
【００１７】
このうち、内面１０の下側には、左右の窪み部１３ａ，１３ａと、中間の窪み部１３ｂとが設けられている。窪み部１３ａ，１３ａには、突片部１４,１６が組として並設されている。両側の突片部１４及び突片部１６は、後述する蓋体側の片部２６が余裕を持って収まる隙間を保って設けられ、また、一方側が突片部１４，１６のうち外側に配置された突片部１４の側面から突片部１６に向けて突出された軸部１５と、他方側が突片部１４，１６のうち内側（窪み部１３ｂ側）に配置された突片部１６の側面から突片部１４に向けて突出された軸部１５とを有している。突片部１４の軸部１５、及び突片部１６の軸部１５は同軸線上に設けられている。両側の突片部１６は、中間の窪み部１３ｂの両側近く設けられるとともに、上側に延びたガイド部１７と連結されている。各ガイド部１７は対向側面にガイド溝１８を形成している。
【００１８】
切欠部１２は、内面１０側から凹状となっていて、凹状の内側に対向している係合溝１２ａと、凹状の底面を貫通している逃げ穴１２ｂと、内端面から外面１１の窪み部１１ａに貫通された取付穴１２ｃとを形成している。そして、切欠部１２には後述する係止手段５が配設される。
【００１９】
蓋体２は、図１及び図３並びに図６のごとく、ベース１に重ねられる大きさからなり、意匠面となる外面２０と、周囲壁２２で縁取りされている内面２１と、周囲壁２２の前側の一方角部を内側に変位している変位部２３と、内面２１の中央部に設けられてカップの底面を載せる浅い凹状部２５と、内面２１の後側の左右に立設された片部２６とを有している。変位部２３には、係止手段５を構成している係止爪の爪部５２と係脱する係合孔２４が貫通形成されている。凹状部２５には複数のリブ２５ａが立設されている。各片部２６には、同軸線上に貫通された軸孔２７と、上端面にあって同軸線上に位置している上開口した軸受凹部２８とが設けられている。
【００２０】
アーム３は、図３及び図７のごとく、両側の側部３０と側部３０同士の間に設けられた支持部３５とを一体に形成している。両側部３０は、中間板部３１と、中間板部３１の上側に突出されている上片部３２と、中間板部３１の下側に突出されている下片部３３とからなる。そして、両側部３０にあって、中間片部３１同士の間には前記支持部３５が弾性変位可能な薄肉形状に形成されているとともに、各上片部３２には同軸線上に位置している軸部３６及び小突起３６ａと、各下片部３３には同軸線上に位置している軸部３４とが設けられている。このうち、軸部３６及び小突起３６ａとしては、一方上片部３２は内面に軸部３６を形成し、外面に小突起３６ａを形成している。逆に、他方上片部３２は内面に小突起３６ａを形成し、外面に軸部３６を形成している。軸部３４としては、一方下片部３３は外面に軸部３４を形成し、他方下片部３３は内面に軸部３４を形成している。支持部３５は、後述するホルダ側の保持穴４５を区画している穴部分の一部とほぼ同じ円弧状の保持面に形成されており、図３のごとくホルダ４の使用状態において、保持穴４５より下方に位置してカップ９の周囲のうち、保持穴４５と蓋体側凹状部２５との間に配置される周囲部分に当接可能となっている。
【００２１】
ホルダ４は、図３及び図７のごとく、保持穴４５を形成しているメイン板部４０、及びメイン板部４０の後側に設けられた基部４４からなる。メイン板部４０は、鍔状周囲壁４１で縁取りされ、かつ、保持穴４５を周囲壁４１と同じ高さの筒状部４２で区画形成している。周囲壁４１と筒状部４２とは、間に所定の隙間４３を保っているとともに、保持穴４５を二等分する箇所に一致させて同軸線上に貫通形成されている軸孔４７及び軸孔４８を有している。基部４４の両側面には軸部４６が同軸線上に設けられている。各軸部４６は、ベース側の対応するガイド溝１８に嵌合されてガイド溝１８に沿って上下方向に摺動される。
【００２２】
（組立）以上の各部材は、アーム３がばね部材７と共にホルダ４に連結された後、アーム３及びホルダ４がベース１と蓋体２の対応部に組み付けられる。すなわち、前者の連結操作では、図３及び図７のごとく、アーム３がホルダ４に対し、一方側が軸孔４８に軸部３６を嵌合しかつ軸孔４７に小突起３６ａを嵌合するとともに、他方側が軸孔４７に軸部３６を嵌合しかつ軸孔４８に小突起３６ａを嵌合することで連結される。その際、この構造では、アーム３が支持部３５を弾性変形可能に形成しているため前記した各嵌合操作を容易に行うことができる。また、ばね部材７は、軸部３６に支持された状態で、一端が隙間４３の対応部に係止され、他端が中間板部３１の対応部に係止されることにより、アーム３とホルダ４とが図７（ｂ）のごとくホルダ４をアーム３に対して使用状態の方向へ付勢したり、アーム３をホルダ４に対して起立する方向へ付勢する。
【００２３】
アーム３及びホルダ４は、図７（ｂ）の連結状態から、図３のごとくホルダ両側の軸部４６をベース側の対応するガイド溝１８に嵌合した後、図４のごとくベース１を蓋体２に対して各軸部１５と各軸孔２７との嵌合により回動可能に連結するとともに、アーム３を蓋体２に対して各軸部３４と軸受凹部２８との嵌合により回動可能に連結する。この連結構造では、以上のようにベース１が蓋体２に対し、アーム３が蓋体２に対してそれぞれ連結されると、図４（ａ）のごとく同図の左側にあって突片部１６と片部２６との間の隙間にはアーム側の下片部３３が挿入され、同図の右側にあって突片部１４と片部２６との間の隙間にはアーム側の下片部３３が挿入され、これによりベース１と蓋体２とは横方向にずれなくなって前記軸部と軸孔との嵌合状態が維持される。
【００２４】
（係止手段）上記した係止手段５は、切欠部１２に装着されるケース５０と、ケース５０に摺動可能に配置されるボタン５１と、ボタン５１にピン５４を介して連携された係止爪５２と、ボタン５１に装着された保護用カバー５３と、ボタン５１をケース５０の前方へ付勢しているばね部材５５とを有している。
【００２５】
ケース５０は、枠部５０ａ及び枠部５０ａの底面後側に一体化された脚部５０ｂとからなる。枠部５０ａは、図５から推察されるごとく、上面が大開口、下面が前側の一部を開口、前後面が同軸線上の孔により開口しているとともに、左右側面に対向して設けられた前後方向に延びたガイド溝５０ｅを有している。そして、ケース５０は、両外側面に突出したリブ５０ｃが係合溝１２ａに係合した状態で切欠部１２に係合される。脚部５０ｂは、取付穴１２ｃに対し両側面に設けた弾性爪５０ｄを介して係合固定される。
【００２６】
ボタン５１は、枠部５０ａの外に配置される押し部５１ａと、枠部５０ａの前面開口から出没される胴部５１ｂと、枠部５０ａの後側開口に沿って摺動される軸部５１ｃとを同軸線上に形成している。そして、ボタン５１は、胴部５１ｂの幅方向に装着されたピン５４がその両端をケース側ガイド溝５０ｅに嵌合しており、ガイド溝５０ｅの長さだけ前後に摺動可能となっている。また、ボタン５１は、軸部５１ｃの廻りに配置されるばね部材５５であるコイルばねの付勢力により枠部５０ａの前方へ付勢されている。
【００２７】
係止爪５２は、上面５２ａ及び両側面５２ｂで略コ形をなし、かつ、両側面５２ｂの前側角部同士を爪部５２ｃにより連結した形状であり、両側面５２ｂに設けられた斜めのカム溝５２ｄを有している。そして、係止爪５２は、枠部５０ａ内にあって爪部５２ｃがケース下面側の開口から外へ突出されるようにして、ボタン側胴部５１ｂ及び軸部５１ｃを内側に配置した後、前記ピン５４を一方側ガイド溝５０ｅ、一方側カム溝５２ｄ、胴部５１ｂの孔、他方側カム溝５２ｄ、他方側ガイド溝５０ｅに嵌合操作する。最後に、カバー５３がボタン５２に係合構造により一体化される。なお、カバー５３は外観見栄えを良好にするものであり、係止作動的に省略しても問題はない。組立状態では、図５（ａ）のごとく、ボタン５１がばね部材５５の付勢力にて前方へ最大まで突出され、係止爪５２がピン５４に対するカム溝５２ｄのカム作動により下降位置、つまり爪部５２ｃが蓋体側の係合孔２４に係止して蓋体２を閉位置に保持可能となる。
【００２８】
（作動）以上のカップホルダ６は、蓋体２の開位置でホルダ４が略水平となる使用状態となっており、ホルダ４の保持穴４５に差し込まれるカップ９の底面を蓋体２の凹状部２５内の多数のリブ２５ａ上に受け止めて保持する。この構造では、従来構造に比べて、図３のごとくカップ９を保持穴４５に挿入した状態において、カップ周囲が保持穴４５による拘束と、保持穴４５と離間した箇所にあるアーム側支持部３５にも拘束される。そのため、例えば、同図のごとくカップが衝撃などによって通常態様から傾くようなときに傾き度合いを支持部３５にて規制してカップ９をより安定保持できる。
【００２９】
蓋体２を回動して閉位置に切り換える過程では、ホルダ４が蓋部２で押されつつ各軸部４６をガイド溝１８ａに沿って下移動して傾き、同時に、ばね部材７の付勢力に抗してアーム３との間の開き角度を次第に狭める。最終的には、蓋体２がベース１に重ねられ、かつ係止手段５の係止爪の爪部５２ｃが係合孔２４に弾性係合され、それにより蓋体２が閉位置に保持される。蓋体２の閉位置では、アーム３が枢支部を介して、ベース１と蓋体２の間にあってホルダ４の収納状態となる方向へ傾いた態様で収納されている。このため、この構造では、蓋体２を再び閉位置から開位置へ切り換える際、アーム３を介し行われるホルダ４の使用状態への切換作動を良好にでき、また、ばね部材７の付勢力をアーム３及びホルダ４を介し蓋体２の開位置方向への付勢としても利用可能となり、部品点数を抑えて蓋体２の切換作動を向上できる。
【００３０】
詳述すると、カップホルダ６を再び使用する場合は、図５（ｂ）のごとくボタン５１がカバー５３を介して矢印方向へ押されると、係止爪５２がピン５４に対するカム溝５２ｄのカム作動により上昇位置、つまり爪部５２ｃが蓋体側の係合孔２４から係止解除して蓋体２を開位置に切換可能となる。この係止解除により、蓋体２は、アーム３及びホルダ４がばね部材７で互いに離間する方向へ付勢されているため、ホルダ４の水平方向への移動に連動して軸部１５を支点として自動的に開位置へ回動され、連動してホルダ４が軸部４６をガイド溝１８を下から上へ移動しつつアーム３を介して図３のごとく略水平となる使用状態に切り換えられる。
【００３１】
なお、本発明は、以上の形態に制約されるものではなく、請求項で特定される技術要素を備えておればよく、細部については種々変形したり展開可能なものである。その一例としては、外観特性及び操作性に優れた係止手段５に代えて特許文献１や２に記載のような簡易な構成に変更することである。また、本発明を特許文献２に示されるような複数のカップを保持するタイプにも展開することである。
【符号の説明】
【００３２】
１…ベース（１４と１６は突片部、１５は軸部、１８はガイド溝）
２…蓋体（２５は凹状部、２６は片部、２７と２８は枢支部用軸孔と軸受凹部）
３…アーム（３０は側部、３４と３６は枢支部用軸部、３５は支持部）
４…ホルダ（４５は保持穴、４６はガイド用軸部、４７と４８は枢支部用軸孔）
５…係止手段（５０はケース、５１はボタン、５２は係止爪、５４はピン）
６…カップホルダ
７…ばね部材
８…被取付部（８ａは位置決め用孔部）
９…カップ
【図１】
0005577146.tif 000002
【図２】
0005577146.tif 000003
【図３】
0005577146.tif 000004
【図４】
0005577146.tif 000005
【図５】
0005577146.tif 000006
【図６】
0005577146.tif 000007
【図７】
0005577146.tif 000008
【図８】
0005577146.tif 000009